(57)【要約】【課題】エアカーテン装置に付着した霜に起因して、エアカーテン装置に動作不良が発生することを抑制することが可能な冷蔵倉庫を提供する。【解決手段】この冷蔵倉庫１００は、第１温度Ｔ１に保たれる第１領域１１と、第１温度Ｔ１よりも低い第２温度Ｔ２に保たれる第２領域１２とを含み、第１領域１１と第２領域１２とが、開閉可能な仕切り部１３により互いに仕切られている冷蔵室１０と、第１領域１１において、仕切り部１３の近傍に設置される第１エアカーテン装置２０と、第２領域１２において、仕切り部１３の近傍に設置される第２エアカーテン装置４０と、熱により第２エアカーテン装置４０を除霜する除霜手段６０と、を備える。【選択図】図３
2018004195.tif 000002
【特許請求の範囲】
【請求項１】
第１温度に保たれる第１領域と、前記第１温度よりも低い第２温度に保たれる第２領域とを含み、前記第１領域と前記第２領域とが、開閉可能な仕切り部により互いに仕切られている冷蔵室と、
前記第１領域において、前記仕切り部の近傍に設置される第１エアカーテン装置と、
前記第２領域において、前記仕切り部の近傍に設置される第２エアカーテン装置と、
熱により前記第２エアカーテン装置を除霜する除霜手段と、を備える、冷蔵倉庫。
【請求項２】
前記第２エアカーテン装置の除霜時に、前記第２エアカーテン装置を停止状態または低風速運転にするように構成されている、請求項１に記載の冷蔵倉庫。
【請求項３】
前記除霜手段は、前記仕切り部に設けられ、前記第１領域と前記第２領域とを接続する風路と、
前記仕切り部に設けられ、前記風路を開閉可能な開閉部と、
前記開閉部により前記風路を開放することによって、前記第２エアカーテン装置を除霜する制御を行う制御部と、を含む、請求項１または２に記載の冷蔵倉庫。
【請求項４】
前記開閉部は、前記第１領域から前記第２領域に空気を流入させるための第１風路を開閉可能な第１開閉部と、前記第２領域から前記第１領域に空気を流出させるための第２風路を開閉可能な第２開閉部と、を含み、
前記制御部は、前記第２エアカーテン装置の除霜時に、前記第１開閉部により前記第１風路を開放し、前記第２開閉部により前記第２風路を開放するとともに、前記第２エアカーテン装置から前記第２風路に向かうように、前記第２エアカーテン装置から吹き出される空気の方向を制御するように構成されている、請求項３に記載の冷蔵倉庫。
【請求項５】
前記第２風路には、前記第２領域から前記第１領域への空気の流出を促進するための送風機が設けられている、請求項４に記載の冷蔵倉庫。
【請求項６】
前記除霜手段は、前記第２エアカーテン装置に設けられ、前記第２エアカーテン装置を除霜するための加熱部と、
前記加熱部により前記第２エアカーテン装置を加熱することによって、前記第２エアカーテン装置を除霜する制御を行う制御部と、を含む、請求項１または２に記載の冷蔵倉庫。
【請求項７】
前記第２エアカーテン装置には、前記第２エアカーテン装置の除霜時に前記第２エアカーテン装置から吹き出される空気と衝突する位置に配置され、前記第２エアカーテン装置から吹き出された空気を前記第２エアカーテン装置の吸込口に導くための導風部が設けられている、請求項６に記載の冷蔵倉庫。
【請求項８】
前記制御部は、前記第２エアカーテン装置の除霜時に、前記第２エアカーテン装置の吹出口から前記第２エアカーテン装置の吸込口に向かうように、前記第２エアカーテン装置から吹き出される空気の方向を制御するように構成されている、請求項６または７に記載の冷蔵倉庫。
【発明の詳細な説明】
【技術分野】
【０００１】
この発明は、冷蔵倉庫に関し、特に、エアカーテン装置を備える冷蔵倉庫に関する。
【背景技術】
【０００２】
従来、エアカーテン装置を備える冷蔵倉庫が知られている（たとえば、特許文献１参照）。
【０００３】
上記特許文献１には、高温側の領域に設置されるエアカーテン装置と、低温側の領域に設置されるエアカーテン装置とを備える冷蔵倉庫が開示されている。この冷蔵倉庫では、高温側の領域に設置されるエアカーテン装置と、低温側の領域に設置されるエアカーテン装置との両方を動作させることによって、高温側の領域と低温側の領域との間の熱移動が遮断されている。
【先行技術文献】
【特許文献】
【０００４】
【特許文献１】特開２０１５−１４５７５６号公報
【発明の概要】
【発明が解決しようとする課題】
【０００５】
しかしながら、上記特許文献１に記載の冷蔵倉庫では、高温側の領域のエアカーテン装置と低温側の領域のエアカーテン装置との両方を動作させることによって、高温側の領域と低温側の領域との間の熱移動を遮断したとしても、高温側から低温側への空気の移動を完全に遮断することはできない。このため、高温側から低温側に水分を多く含む空気が進入してしまう。この場合、高温側から低温側に進入した水分が、低温側のエアカーテン装置に霜として付着して、低温側のエアカーテン装置に動作不良が発生する場合がある。したがって、上記特許文献１に記載の冷蔵倉庫は、この点において、改善の余地があった。
【０００６】
この発明は、上記のような課題を解決するためになされたものであり、この発明の１つの目的は、エアカーテン装置に付着した霜に起因して、エアカーテン装置に動作不良が発生することを抑制することが可能な冷蔵倉庫を提供することである。
【課題を解決するための手段】
【０００７】
上記目的を達成するために、この発明の一の局面による冷蔵倉庫では、第１温度に保たれる第１領域と、第１温度よりも低い第２温度に保たれる第２領域とを含み、第１領域と第２領域とが、開閉可能な仕切り部により互いに仕切られている冷蔵室と、第１領域において、仕切り部の近傍に設置される第１エアカーテン装置と、第２領域において、仕切り部の近傍に設置される第２エアカーテン装置と、熱により第２エアカーテン装置を除霜する除霜手段と、を備える。
【０００８】
この発明の一の局面による冷蔵倉庫では、上記のように、熱により第２エアカーテン装置を除霜する除霜手段を設ける。これにより、低温側の第２エアカーテン装置に霜が付着した場合にも、第２エアカーテン装置に付着した霜を除霜手段により除霜することができるので、第２エアカーテン装置に付着した霜に起因して、第２エアカーテン装置に動作不良が発生することを抑制することができる。
【０００９】
上記一の局面による冷蔵倉庫において、好ましくは、第２エアカーテン装置の除霜時に、第２エアカーテン装置を停止状態または低風速運転にするように構成されている。このように構成すれば、除霜手段から供給される熱が、第２エアカーテン装置により第２領域内に拡散されることを抑制することができるので、第２エアカーテン装置の除霜時に第２領域全体の温度が上昇することを抑制することができる。また、第２エアカーテン装置を低風速運転にする場合には、第２エアカーテン装置を通過する気流を発生させることができるので、第２エアカーテン装置への熱の流通を促進することができる。その結果、第２エアカーテン装置の除霜を効果的に（迅速に）行うことができる。
【００１０】
上記一の局面による冷蔵倉庫において、好ましくは、除霜手段は、仕切り部に設けられ、第１領域と第２領域とを接続する風路と、仕切り部に設けられ、風路を開閉可能な開閉部と、開閉部により風路を開放することによって、第２エアカーテン装置を除霜する制御を行う制御部と、を含む。このように構成すれば、開閉部により風路を開放することによって、高温側の第１領域から低温側の第２領域に空気を流入させることができる。その結果、高温側の第１領域から低温側の第２領域に流入させた空気の熱により、第２エアカーテン装置に付着した霜を除霜することができる。
【００１１】
この場合、好ましくは、開閉部は、第１領域から第２領域に空気を流入させるための第１風路を開閉可能な第１開閉部と、第２領域から第１領域に空気を流出させるための第２風路を開閉可能な第２開閉部と、を含み、制御部は、第２エアカーテン装置の除霜時に、第１開閉部により第１風路を開放し、第２開閉部により第２風路を開放するとともに、第２エアカーテン装置から第２風路に向かうように、第２エアカーテン装置から吹き出される空気の方向を制御するように構成されている。このように構成すれば、第１風路を介して高温側の第１領域から低温側の第２領域に流入するとともに、第２エアカーテン装置を除霜した比較的高温の空気を、第１領域に通じる第２風路に直接向かわせることができる。その結果、比較的高温の空気が第２領域内に拡散されることを抑制することができるので、第２エアカーテン装置の除霜時に、第２領域内の温度が上昇することを抑制することができる。
【００１２】
上記開閉部が第２領域から第１領域に空気を流出させるための第２風路を開閉可能な第２開閉部を含む構成において、好ましくは、第２風路には、第２領域から第１領域への空気の流出を促進するための送風機が設けられている。このように構成すれば、送風機により第２領域から第１領域への空気の流出が促進されるので、比較的高温の空気が第２領域内に拡散されることをより抑制することができる。その結果、第２エアカーテン装置の除霜時に、第２領域内の温度が上昇することをより抑制することができる。
【００１３】
上記一の局面による冷蔵倉庫において、好ましくは、除霜手段は、第２エアカーテン装置に設けられ、第２エアカーテン装置を除霜するための加熱部と、加熱部により第２エアカーテン装置を加熱することによって、第２エアカーテン装置を除霜する制御を行う制御部と、を含む。このように構成すれば、加熱部からの熱により、第２エアカーテン装置に付着した熱を除霜することができる。また、第２エアカーテン装置に加熱部を設けることによって、第２エアカーテン装置から離間した位置に加熱部を設ける場合に比べて、加熱部からの熱を第２エアカーテン装置に容易に伝達することができる。
【００１４】
この場合、好ましくは、第２エアカーテン装置には、第２エアカーテン装置の除霜時に第２エアカーテン装置から吹き出される空気と衝突する位置に配置され、第２エアカーテン装置から吹き出された空気を第２エアカーテン装置の吸込口に導くための導風部が設けられている。このように構成すれば、加熱部により加熱され、第２エアカーテン装置の吹出口から吹き出された比較的高温の空気を、導風部により第２エアカーテン装置の吸込口に容易に向かわせることができる。その結果、比較的高温の空気が第２領域内に拡散されることを抑制することができるので、第２エアカーテン装置の除霜時に、第２領域内の温度が上昇することを効果的に抑制することができる。
【００１５】
上記除霜手段が加熱部を含む構成において、好ましくは、制御部は、第２エアカーテン装置の除霜時に、第２エアカーテン装置の吹出口から第２エアカーテン装置の吸込口に向かうように、第２エアカーテン装置から吹き出される空気の方向を制御するように構成されている。このように構成すれば、加熱部により加熱され、第２エアカーテン装置の吹出口から吹き出された比較的高温の空気を、第２エアカーテン装置の吸込口に容易に向かわせることができる。その結果、比較的高温の空気が第２領域内に拡散されることを抑制することができるので、第２エアカーテン装置の除霜時に、第２領域内の温度が上昇することを効果的に抑制することができる。
【発明の効果】
【００１６】
本発明によれば、上記のように、エアカーテン装置に付着した霜に起因して、エアカーテン装置に動作不良が発生することを抑制することが可能な冷蔵倉庫を提供することができる。
【図面の簡単な説明】
【００１７】
【図１】本発明の第１実施形態による冷蔵倉庫の構成を示した模式的な断面図である。
【図２】第１実施形態による冷蔵倉庫の制御的な構成を示したブロック図である。
【図３】第１実施形態による冷蔵倉庫の除霜時の動作を説明するための図である。
【図４】第１実施形態の第１変形例による冷蔵倉庫を示した模式的な断面図である。
【図５】第１実施形態の第２変形例による冷蔵倉庫を示した模式的な断面図である。
【図６】本発明の第２実施形態による冷蔵倉庫の構成を示した模式的な断面図である。
【図７】第２実施形態による冷蔵倉庫の制御的な構成を示したブロック図である。
【図８】第２実施形態による冷蔵倉庫の除霜時の動作を説明するための図である。
【図９】第２実施形態の第１変形例による冷蔵倉庫を示した模式的な断面図である。
【図１０】第２実施形態の第２変形例による冷蔵倉庫を示した模式的な断面図である。
【発明を実施するための形態】
【００１８】
以下、本発明を具体化した実施形態を図面に基づいて説明する。
【００１９】
［第１実施形態］
（冷蔵倉庫の構成）
まず、図１〜図３を参照して、本発明の第１実施形態による冷蔵倉庫１００について説明する。
【００２０】
第１実施形態による冷蔵倉庫１００は、図１に示すように、冷蔵室１０の内部空間１０ａが所定温度に維持された状態で互いに異なる複数種類の物品（商品）を保管することが可能な冷凍冷蔵倉庫である。
【００２１】
冷蔵倉庫１００は、冷蔵室１０と、第１エアカーテン装置２０と、第１冷却装置３０と、第２エアカーテン装置４０と、第２冷却装置５０と、除霜手段６０と、制御部７０（図２参照）とを備えている。
【００２２】
冷蔵室１０は、内部空間１０ａを有している。内部空間１０ａは、第１温度Ｔ１（たとえば、５℃）に保たれる第１領域１１と、第１温度Ｔ１よりも低い第２温度Ｔ２（たとえば、−２５℃）に保たれる第２領域１２とを含んでいる。第１領域１１には、食品などの部品１が冷蔵保存される。また、第２領域１２には、冷凍食品などの物品２が冷凍保存される。第１温度Ｔ１は、たとえば、０℃以上に設定される。また、第２温度Ｔ２は、たとえば、０℃未満に設定される。
【００２３】
図１および図３に示すように、冷蔵室１０には、第１領域１１と第２領域１２とを仕切る仕切り部１３が設けられている。仕切り部１３は、冷蔵室１０の天井部１４から下方（Ｚ２方向）に延びる壁部１３ａと、壁部１３ａの下方に設けられる開閉可能な扉部１３ｂとを含んでいる。作業者は、仕切り部１３の扉部１３ｂを開くことによって、第１領域１１と第２領域１２との間を行き来することが可能である。なお、図１では、扉部１３ｂ（二点鎖線により示す）が開状態である場合を示し、図３では、扉部１３ｂが閉状態である場合を示している。
【００２４】
仕切り部１３の壁部１３ａには、第１領域１１と第２領域１２とを接続する第１風路８１が設けられている。第１風路８１は、第２エアカーテン装置４０の除霜時に、第１領域１１から第２領域１２に空気を流入させるために設けられている。
【００２５】
また、仕切り部１３の壁部１３ａには、第１風路８１を開閉可能な第１開閉部８２が設けられている。第１開閉部８２は、第１領域１１と第２領域１２との間で空気の流通が可能なように第１風路８１を開放する開状態と、第１領域１１と第２領域１２との間で空気が流通しないように第１風路８１を閉鎖する閉状態との間で開閉状態を切り替え可能に構成されている。第１開閉部８２は、制御部７０の制御により、開状態から閉状態に、または、閉状態から開状態に切り替わるように構成されている。また、第１開閉部８２は、開閉可能なダンパ８２ａを含んでいる。
【００２６】
また、仕切り部１３の扉部１３ｂには、第１領域１１と第２領域１２とを接続する第２風路８３が設けられている。第２風路８３は、第２エアカーテン装置４０の除霜時に、第２領域１２から第１領域１１に空気を流出させるために設けられている。第２風路８３は、第１風路８１よりも小さい流路断面積を有している。
【００２７】
また、仕切り部１３の扉部１３ｂには、第２風路８３を開閉可能な第２開閉部８４が設けられている。第２開閉部８４は、第１領域１１と第２領域１２との間で空気の流通が可能なように第２風路８３を開放する開状態と、第１領域１１と第２領域１２との間で空気が流通しないように第１風路８１を閉鎖する閉状態との間で開閉状態を切り替え可能に構成されている。第２開閉部８４は、制御部７０の制御により、開状態から閉状態に、または、閉状態から開状態に切り替わるように構成されている。また、第２開閉部８４は、開閉可能なダンパ８４ａを含んでいる。なお、第１風路８１および第２風路８３は、特許請求の範囲の「風路」の一例である。また、第１開閉部８２および第２開閉部８４は、特許請求の範囲の「開閉部」の一例である。
【００２８】
また、第２風路８３には、第２エアカーテン装置４０の除霜時に、第２領域１２から第１領域１１への空気の流出を促進するための送風機８５が設けられている。送風機８５は、第１領域１１に配置されている。送風機８５は、制御部７０の制御により、第２エアカーテン装置４０の除霜時に停止状態から運転状態となり、第２領域１２から第１領域１１に空気を流出させるように構成されている。
【００２９】
第１エアカーテン装置２０は、第１領域１１に設置され、エアカーテン気流Ｐ１（破線により示す）を形成する送風機能を有している。第１エアカーテン装置２０は、第１領域１１において、仕切り部１３の近傍の天井部１４の下面１４ａに設置されている。第１エアカーテン装置２０は、上方から下方に空気を吹き出すことによって、冷蔵室１０の床面１５まで吹き下ろされるエアカーテン気流Ｐ１を形成するように構成されている。
【００３０】
また、図１および図３に示すように、第１エアカーテン装置２０は、送風機２１と、吸込口２２と、吹出口２３と、風向き調整部２４とを含んでいる。送風機２１は、空気の流れを発生させるように構成されている。吸込口２２は、空気を吸い込むための開口であって、Ｘ１方向に開口している。吹出口２３は、空気を吹き出すための開口であって、Ｚ２方向に開口している。風向き調整部２４は、吹出口２３に設けられており、吹出口２３から吹き出される空気の方向を調整することが可能なように構成されている。
【００３１】
図１に示すように、第１冷却装置３０は、第１領域１１に設置され、第１領域１１の空気を冷却して第１温度Ｔ１に保つ冷却機能と、冷却された空気を吹き出す送風機能とを有している。第１領域１１では、第１エアカーテン装置２０の送風機能と、第１冷却装置３０の送風機能とによって、冷気循環流Ｇ１（破線により示す）が形成される。第１冷却装置３０は、第１エアカーテン装置２０の吸込口２２よりも、冷気循環流Ｇ１の上流側（Ｘ１側）に設置されている。
【００３２】
また、第１冷却装置３０は、送風機３１と、吸込口３２と、吹出口３３とを含んでいる。送風機３１は、空気の流れを発生させるように構成されている。吸込口３２は、空気を吸い込むための開口であって、Ｘ１方向に開口している。吹出口３３は、空気を吹き出すための開口であって、Ｘ２方向に開口している。
【００３３】
第２エアカーテン装置４０は、第２領域１２に設置され、エアカーテン気流Ｐ２（破線により示す）を形成する送風機能を有している。第２エアカーテン装置４０は、第２領域１２において、仕切り部１３の近傍の天井部１４の下面１４ａに設置されている。なお、第１エアカーテン装置２０と、第１風路８１（第１開閉部８２）と、第２エアカーテン装置４０とは、床面１５から略同じ高さ位置（Ｚ方向）において、Ｘ１側からこの順に配置されている。第２エアカーテン装置４０は、上方から下方に空気を吹き出すことによって、冷蔵室１０の床面１５まで吹き下ろされるエアカーテン気流Ｐ２を形成するように構成されている。
【００３４】
また、図１および図３に示すように、第２エアカーテン装置４０は、送風機４１と、吸込口４２と、吹出口４３と、風向き調整部４４と、ドレン受け部４５と、ドレン配管４６とを含んでいる。送風機４１は、空気の流れを発生させるように構成されている。吸込口４２は、空気を吸い込むための開口であって、Ｘ２方向に開口している。吹出口４３は、空気を吹き出すための開口であって、Ｚ２方向に開口している。風向き調整部４４は、吹出口４３に設けられており、吹出口４３から吹き出される空気の方向を調整することが可能なように構成されている。
【００３５】
ドレン受け部４５は、第２エアカーテン装置４０の除霜時に発生するドレン水を受けるように構成されている。ドレン配管４６は、ドレン受け部４５により受けたドレン水を、冷蔵倉庫１００の外部に導くように設けられている。ドレン配管４６は、ドレン水が凍らないように、高温側の第１領域１１を介して、ドレン水を冷蔵倉庫１００の外部に導くように設けられている。
【００３６】
図１に示すように、第２冷却装置５０は、第２領域１２に設置され、第２領域１２の空気を冷却して第２温度Ｔ２に保つ冷却機能と、冷却された空気を吹き出す送風機能とを有している。第２領域１２では、第２エアカーテン装置４０の送風機能と、第２冷却装置５０の送風機能とによって、冷気循環流Ｇ２（破線により示す）が形成される。第２冷却装置５０は、第２エアカーテン装置４０の吸込口４２よりも、冷気循環流Ｇ２の上流側（Ｘ２側）に設置されている。
【００３７】
また、第２冷却装置５０は、送風機５１と、吸込口５２と、吹出口５３とを含んでいる。送風機５１は、空気の流れを発生させるように構成されている。吸込口５２は、空気を吸い込むための開口であって、Ｘ２方向に開口している。吹出口５３は、空気を吹き出すための開口であって、Ｘ１方向に開口している。
【００３８】
冷蔵倉庫１００では、仕切り部１３の扉部１３ｂを開く場合に、第１エアカーテン装置２０によりエアカーテン気流Ｐ１が形成されるとともに、第２エアカーテン装置４０によりエアカーテン気流Ｐ２が形成される。これにより、仕切り部１３の扉部１３ｂを開く場合にも、第１領域１１と第２領域１２との間のＸ方向に沿った熱移動（この場合、高温側の第１領域１１から低温側の第２領域１２への熱移動）が遮断される。仕切り部１３の扉部１３ｂを開いている間、高温側の第１領域１１から低温側の第２領域１２への空気の移動を完全に遮断することはできないため、高温側の第１領域１１から低温側の第２領域１２に水分を多く含む空気が進入する。そして、高温側の第１領域１１から低温側の第２領域１２に水分は、第２エアカーテン装置４０に霜として付着する。
【００３９】
ここで、気流（冷気）の流れを説明する。図１に示すように、第１領域１１においては、第１冷却装置３０により冷却されて第１冷却装置３０の吹出口３３から吹き出される冷気が天井部１４の下面１４ａをＸ２方向（水平方向）に伝って第１エアカーテン装置２０の吸込口２２に吸い込まれる。冷気は向きを変えて第１エアカーテン装置２０の吹出口２３からエアカーテン気流Ｐ１となって斜め下方向（矢印Ｚ２方向かつ矢印Ｘ１方向）に吹き出される。その後、冷気（エアカーテン気流Ｐ１）は、床面１５に到達した後、向きを変えてそのほとんどが床面１５を矢印Ｘ１方向に沿って流通され、Ｘ１側の側壁部１６ａ近傍をＺ１方向に伝って第１冷却装置３０の吸込口３２に吸い込まれる。このように、第１領域１１では、時計回りに大きく循環する冷気循環流Ｇ１が形成される。
【００４０】
また、第２領域１２においては、第２冷却装置５０により冷やされて第２冷却装置５０の吹出口５３から吹き出される冷気が天井部１４の下面１４ａをＸ１方向（水平方向）に伝って第２エアカーテン装置４０の吸込口４２に吸い込まれる。冷気は向きを変えて第２エアカーテン装置４０の吹出口４３から斜め下方向（矢印Ｚ２方向かつ矢印Ｘ２方向）に吹き出される。その後、冷気（エアカーテン気流Ｐ２）は、床面１５に到達した後、向きを変えてそのほとんどが床面１５をＸ２方向に沿って流通され、Ｘ２側の側壁部１６ｂ近傍をＺ１方向に伝って第２冷却装置５０の吸込口５２に吸い込まれる。このように、第２領域１２では、反時計回りに大きく循環する冷気循環流Ｇ２が形成される。
【００４１】
また、冷蔵室１０では、第１領域１１および第２領域１２に、それぞれ、温度センサ１７および温度センサ１８が設けられている。冷蔵倉庫１００では、第１領域１１に設けられた温度センサ１７の検出結果に基づいて、制御部７０により、第１エアカーテン装置２０および第１冷却装置３０が制御されることによって、第１領域１１が第１温度Ｔ１に保たれる。また、冷蔵倉庫１００では、第２領域１２に設けられた温度センサ１８の検出結果に基づいて、制御部７０により、第２エアカーテン装置４０および第２冷却装置５０が制御されることによって、第２領域１２が第２温度Ｔ２に保たれる。
【００４２】
除霜手段６０は、熱により第２エアカーテン装置４０を除霜するように構成されている。第１実施形態では、除霜手段６０は、第１風路８１と、第１開閉部８２と、第２風路８３と、第２開閉部８４と、送風機８５と、制御部７０とを含んでいる。除霜手段６０による第２エアカーテン装置４０の除霜動作の詳細は、後述する。
【００４３】
図２に示すように、制御部７０は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、およびＲＡＭ（Ｒａｎｄｏｍ  Ａｃｃｅｓｓ  Ｍｅｍｏｒｙ）などを含み、冷蔵倉庫１００の動作を制御するように構成されている。つまり、制御部７０は、第１エアカーテン装置２０、第１冷却装置３０、第２エアカーテン装置４０、第２冷却装置５０などの動作制御を行う機能を有する。制御部７０は、冷蔵倉庫１００の動作を制御する制御回路である。
【００４４】
（エアカーテン装置の除霜制御）
ここで、第１実施形態では、制御部７０は、図３に示すように、第１開閉部８２により第１風路８１を開放し、第２開閉部８４により第２風路８３を開放することによって、第２エアカーテン装置４０を除霜する制御を行うように構成されている。
【００４５】
第１開閉部８２により第１風路８１を開放すれば、開放された第１風路８１を介して、比較的高温の空気が第１領域１１から第２領域１２に流入する。そして、流入した比較的高温の空気の熱により、第２エアカーテン装置４０に付着した霜を除霜することが可能である。また、第１実施形態では、第１風路８１の近傍に第２エアカーテン装置４０が配置されているので、比較的高温の空気を容易に第２エアカーテン装置４０に導くことが可能である。これにより、第１領域１１から第２領域１２に流入した比較的高温の空気の熱により、確実に、第２エアカーテン装置４０を除霜することが可能である。
【００４６】
また、第２開閉部８４により第２風路８３を開放すれば、開放された第２風路８３を介して、第２エアカーテン装置４０を除霜した空気が、第２領域１２から第１領域１１に流出する。また、第１実施形態では、第２エアカーテン装置４０の近傍に第２風路８３が配置されているので、比較的高温の空気が第２領域１２内に拡散されることを抑制することが可能である。これにより、第２エアカーテン装置４０の除霜時に、第２領域１２内の温度が上昇することを抑制することが可能である。
【００４７】
また、第１実施形態では、制御部７０は、第２エアカーテン装置４０の除霜時に、第２エアカーテン装置４０を低風速運転（送風機４１の低回転数運転）にするように構成されている。なお、低風速運転（送風機４１の低回転数運転）とは、第２エアカーテン装置４０によりエアカーテン気流Ｐ２（図１参照）を形成するエアカーテン運転時の風速（送風機４１の回転数）に比べて、風速（送風機４１の回転数）が低い運転状態である。
【００４８】
また、第１実施形態では、制御部７０は、第２エアカーテン装置４０の除霜時に、第２エアカーテン装置４０から第２風路８３に向かうように、風向き調整部４４により、第２エアカーテン装置４０から吹き出される空気の方向を制御するように構成されている。また、制御部７０は、第２エアカーテン装置４０の除霜時に、第２風路８３に設けられた送風機８５により、第２領域１２から第１領域１１に空気を流出させるように構成されている。
【００４９】
（除霜動作）
次に、図３を参照して、第２エアカーテン装置４０の除霜動作について説明する。図３では、第２エアカーテン装置４０の除霜時における気流を破線により示している。
【００５０】
図３に示すように、仕切り部１３の扉部１３ｂが閉状態で、第２エアカーテン装置４０の除霜動作が行われる。具体的には、第２エアカーテン装置４０の除霜時には、第１開閉部８２により第１風路８１が開放され、第２開閉部８４により第２風路８３が開放され、第２エアカーテン装置４０が低風速運転になり、送風機８５が運転状態になる。
【００５１】
これらの結果、まず、第１領域１１の比較的高温の空気が、第１風路８１を介して、第２領域１２に流入する。そして、第２領域１２に流入した比較的高温の空気が、第２エアカーテン装置４０の送風機４１の駆動力により、第２エアカーテン装置４０の吸込口４２を介して、第２エアカーテン装置４０内に流入する。そして、第２エアカーテン装置４０内に流入した比較的高温の空気が、第２エアカーテン装置４０の送風機４１の駆動力により、第２エアカーテン装置４０の吹出口４３を介して、第２エアカーテン装置４０外に流出される。これらの結果、第２エアカーテン装置４０に付着した霜が除霜される（溶かされる）。溶かされた霜は、ドレン水として、ドレン受け部４５により受けられた後、ドレン受け部４５に接続されたドレン配管４６により、冷蔵倉庫１００の外部に導かれる。
【００５２】
また、第２エアカーテン装置４０外に流出された比較的高温の空気は、第２エアカーテン装置４０の送風機４１の駆動力および送風機８５の駆動力により、第２領域１２に拡散されることなく、第２風路８３を介して、第１領域１１に流出される。
【００５３】
（第１実施形態の効果）
第１実施形態では、以下のような効果を得ることができる。
【００５４】
第１実施形態では、上記のように、熱により第２エアカーテン装置４０を除霜する除霜手段６０を設ける。これにより、低温側の第２エアカーテン装置４０に霜が付着した場合にも、第２エアカーテン装置４０に付着した霜を除霜手段６０により除霜することができるので、第２エアカーテン装置４０に付着した霜に起因して、第２エアカーテン装置４０に動作不良が発生することを抑制することができる。
【００５５】
また、第１実施形態では、上記のように、制御部７０を、第２エアカーテン装置４０の除霜時に、第２エアカーテン装置４０を低風速運転にするように構成する。これにより、除霜手段６０から供給される熱が、第２エアカーテン装置４０により第２領域１２内に拡散されることを抑制することができるので、第２エアカーテン装置４０の除霜時に第２領域１２全体の温度が上昇することを抑制することができる。また、第２エアカーテン装置４０を低風速運転にする場合には、第２エアカーテン装置４０を通過する気流を発生させることができるので、第２エアカーテン装置４０への熱の流通を促進することができる。その結果、第２エアカーテン装置４０の除霜を効果的に（迅速に）行うことができる。
【００５６】
また、第１実施形態では、上記のように、制御部７０を、開閉部（第１開閉部８２および第２開閉部８４）により風路（第１風路８１および第２風路８３）を開放することによって、第２エアカーテン装置４０を除霜する制御を行うように構成する。これにより、開閉部（第１開閉部８２および第２開閉部８４）により風路（第１風路８１および第２風路８３）を開放することによって、高温側の第１領域１１から低温側の第２領域１２に空気を流入させることができる。その結果、高温側の第１領域１１から低温側の第２領域１２に流入させた空気の熱により、第２エアカーテン装置４０に付着した霜を除霜することができる。
【００５７】
また、第１実施形態では、上記のように、制御部７０を、第２エアカーテン装置４０の除霜時に、第１開閉部８２により第１風路８１を開放し、第２開閉部８４により第２風路８３を開放するとともに、第２エアカーテン装置４０から第２風路８３に向かうように、第２エアカーテン装置４０から吹き出される空気の方向を制御するように構成する。これにより、第１風路８１を介して高温側の第１領域１１から低温側の第２領域１２に流入するとともに、第２エアカーテン装置４０を除霜した比較的高温の空気を、第１領域１１に通じる第２風路８３に直接向かわせることができる。その結果、比較的高温の空気が第２領域１２内に拡散されることを抑制することができるので、第２エアカーテン装置４０の除霜時に、第２領域１２内の温度が上昇することを抑制することができる。
【００５８】
また、第１実施形態では、上記のように、第２風路８３に、第２領域１２から第１領域１１への空気の流出を促進するための送風機８５を設ける。これにより、送風機８５により第２領域１２から第１領域１１への空気の流出が促進されるので、比較的高温の空気が第２領域１２内に拡散されることをより抑制することができる。その結果、第２エアカーテン装置４０の除霜時に、第２領域１２内の温度が上昇することをより抑制することができる。
【００５９】
（第１実施形態の第１変形例）
次に、図２〜図４を参照して、第１実施形態の第１変形例について説明する。
【００６０】
図４に示すように、第１実施形態の第２変形例の冷蔵倉庫１００ａでは、第２エアカーテン装置４０に、上記第１実施形態の風向き調整部４４（図３参照）が設けられていない。つまり、第１実施形態の第１変形例の冷蔵倉庫１００ａでは、第２エアカーテン装置４０を除霜した空気を、送風機８５のみにより、第２領域１２から第１領域１１に流出させる。このように構成しても、第２風路８３を介して、第２領域１２から第１領域１１への空気の流出を促進することは十分可能である。
【００６１】
なお、第１実施形態の第１変形例のその他の構成および効果は、上記第１実施形態と同様である。
【００６２】
（第１実施形態の第２変形例）
次に、図２、図３および図５を参照して、第１実施形態の第２変形例について説明する。
【００６３】
図５に示すように、第１実施形態の第２変形例の冷蔵倉庫１００ｂでは、第２風路８３に、上記第１実施形態の送風機８５（図３参照）が設けられていない。つまり、第１実施形態の第２変形例の冷蔵倉庫１００ｂでは、制御部７０ｂ（図２参照）は、第２エアカーテン装置４０の除霜時に、風向き調整部４４による第２エアカーテン装置４０から吹き出される空気の方向の制御のみを行うように構成されている。このように構成しても、第２風路８３を介して、第２領域１２から第１領域１１への空気の流出を促進することは十分可能である。
【００６４】
なお、第１実施形態の第２変形例のその他の構成および効果は、上記第１実施形態と同様である。
【００６５】
［第２実施形態］
次に、図６〜図８を参照して、第２実施形態について説明する。この第２実施形態では、第１領域の比較的高温の空気を利用して、第２エアカーテン装置の除霜を行った上記第１実施形態とは異なり、第２エアカーテン装置に加熱部を設けることによって、第２エアカーテン装置の除霜を行う例について説明する。なお、上記第１実施形態と同一の構成については、図中において同じ符号を付して図示し、その説明を省略する。
【００６６】
（冷蔵倉庫の構成）
本発明の第２実施形態による冷蔵倉庫２００は、図６に示すように、仕切り部１１３に、上記第１実施形態の第１風路８１、第１開閉部８２、第２風路８３、第２開閉部８４および送風機８５が設けられていない点で、上記第１実施形態の冷蔵倉庫１００と相違する。また、冷蔵倉庫２００は、図６および図７に示すように、除霜手段１６０および制御部１７０を備える点で、上記第１実施形態の冷蔵倉庫１００と相違する。
【００６７】
第２実施形態では、図６〜図８に示すように、除霜手段１６０は、制御部１７０と、電熱器などの加熱部１９０とを含んでいる。加熱部１９０は、第２エアカーテン装置４０に設けられている。具体的には、加熱部１９０は、第２エアカーテン装置４０の吸込口４２の近傍に設けられている。また、加熱部１９０は、制御部１７０の制御により、加熱するオン状態と、加熱しないオフ状態とを切り替えることが可能なように構成されている。
【００６８】
また、第２実施形態では、制御部１７０（図７参照）は、図８に示すように、加熱部１９０により第２エアカーテン装置４０を加熱することによって、第２エアカーテン装置４０を除霜する制御を行うように構成されている。つまり、制御部１７０は、第２エアカーテン装置４０の除霜時に、加熱部１９０をオン状態にするように構成されている。なお、制御部１７０は、第２エアカーテン装置４０の除霜時以外は、加熱部１９０をオフ状態にするように構成されている。
【００６９】
なお、第２実施形態のその他の構成は、上記第１実施形態と同様である。
【００７０】
（第２実施形態の効果）
第２実施形態では、以下のような効果を得ることができる。
【００７１】
第２実施形態では、熱により第２エアカーテン装置４０を除霜する除霜手段１６０を設ける。これにより、上記第１実施形態と同様に、第２エアカーテン装置４０に動作不良が発生することを抑制することができる。
【００７２】
また、第２実施形態では、上記のように、第２エアカーテン装置４０に、加熱部１９０を設ける。そして、制御部１７０を、加熱部１９０により第２エアカーテン装置４０を加熱することによって、第２エアカーテン装置４０を除霜する制御を行うように構成する。これにより、加熱部１９０からの熱により、第２エアカーテン装置４０に付着した熱を除霜することができる。また、第２エアカーテン装置４０に加熱部１９０を設けることによって、第２エアカーテン装置４０から離間した位置に加熱部１９０を設ける場合に比べて、加熱部１９０からの熱を第２エアカーテン装置４０に容易に伝達することができる。
【００７３】
なお、第２実施形態のその他の効果は、上記第１実施形態と同様である。
【００７４】
（第２実施形態の第１変形例）
次に、図９を参照して、第２実施形態の第１変形例について説明する。
【００７５】
図９に示すように、第２実施形態の第１変形例の冷蔵倉庫２００ａでは、第２エアカーテン装置４０に、第２エアカーテン装置４０から吹き出された空気を第２エアカーテン装置４０の吸込口４２に導くための導風部１９１が設けられている。導風部１９１は、第２エアカーテン装置４０の吹出口４３の外側に設けられている。
【００７６】
導風部１９１は、取付部１９１ａと、回転軸１９１ｂと、折り畳み部１９１ｃとを含んでいる。取付部１９１ａは、導風部１９１を第２エアカーテン装置４０に取り付けるために設けられている。回転軸１９１ｂは、取付部１９１ａと、折り畳み部１９１ｃとを接続するように構成されている。折り畳み部１９１ｃは、回転軸１９１ｂ回りに回転可能に、回転軸１９１ｂに保持されている。
【００７７】
導風部１９１の折り畳み部１９１ｃは、第２エアカーテン装置４０から吹き出される空気と衝突する第１位置Ａ１と、第１位置Ａ１から退避することによって第２エアカーテン装置４０によるエアカーテン気流を形成可能な第２位置Ａ２（二点鎖線により示す）との間で、回転軸１９１ｂ回りに回転するように構成されている。
【００７８】
第２実施形態の第１変形例では、上記のように、第２エアカーテン装置４０に、第２エアカーテン装置４０の除霜時に第２エアカーテン装置４０から吹き出される空気と衝突する位置に配置され、第２エアカーテン装置４０から吹き出された空気を第２エアカーテン装置４０の吸込口４２に導くための導風部１９１を設ける。これにより、加熱部１９０により加熱され、第２エアカーテン装置４０の吹出口４３から吹き出された比較的高温の空気を、導風部１９１により第２エアカーテン装置４０の吸込口４２に容易に向かわせることができる。その結果、比較的高温の空気が第２領域１２内に拡散されることを抑制することができるので、第２エアカーテン装置４０の除霜時に、第２領域１２内の温度が上昇することを効果的に抑制することができる。
【００７９】
また、上記のように、導風部１９１の折り畳み部１９１ｃを、第２エアカーテン装置４０から吹き出される空気と衝突する第１位置Ａ１と、第１位置Ａ１から退避することによって第２エアカーテン装置４０によるエアカーテン気流を形成可能な第２位置Ａ２との間で、回転軸１９１ｂ回りに回転するように構成する。これにより、第２エアカーテン装置４０の除霜時には、第２領域１２内の温度が上昇することを抑制しつつ、エアカーテン気流の形成時には、導風部１９１がエアカーテン気流の形成を妨げることを抑制することができる。
【００８０】
なお、第２実施形態の第１変形例のその他の構成および効果は、上記第２実施形態と同様である。
【００８１】
（第２実施形態の第２変形例）
次に、図７および図１０を参照して、第２実施形態の第２変形例について説明する。
【００８２】
図１０に示すように、第２実施形態の第２変形例の冷蔵倉庫２００ｂでは、制御部１７０ｂ（図７参照）は、第２エアカーテン装置４０の除霜時に、第２エアカーテン装置４０の吹出口４３から第２エアカーテン装置４０の吸込口４２に向かうように、風向き調整部４４により、第２エアカーテン装置４０から吹き出される空気の方向を制御するように構成されている。
【００８３】
これにより、加熱部１９０により加熱され、第２エアカーテン装置４０の吹出口４３から吹き出された比較的高温の空気を、第２エアカーテン装置４０の吸込口４２に容易に向かわせることができる。その結果、比較的高温の空気が第２領域１２内に拡散されることを抑制することができるので、第２エアカーテン装置４０の除霜時に、第２領域１２内の温度が上昇することを効果的に抑制することができる。
【００８４】
なお、第２実施形態の第２変形例のその他の構成および効果は、上記第２実施形態と同様である。
【００８５】
［変形例］
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００８６】
たとえば、上記第１および第２実施形態では、送風機能のみを有するエアカーテン装置（第２エアカーテン装置）に本発明を適用した例を示したが、本発明はこれに限られない。本発明は、送風機能に加えて、冷却機能を有するエアカーテン装置（第２エアカーテン装置）に適用してもよい。
【００８７】
また、上記第１および第２実施形態では、制御部が、第２エアカーテン装置の除霜時に、第２エアカーテン装置を低風速運転にした例を示したが、本発明はこれに限られない。本発明では、制御部が、第２エアカーテン装置の除霜時に、第２エアカーテン装置を停止状態（運転停止）にしてもよい。また、上記第１実施形態において、第２エアカーテン装置を停止状態にする場合には、第１領域と第２領域との間の温度差に基づく差圧により、第１風路を介して、第１領域から第２領域に比較的高温の空気を流入させることが可能である。
【００８８】
また、上記第１および第２実施形態では、第２エアカーテン装置に単にドレン受け部を設けた例を示したが、本発明はこれに限られない。本発明では、ドレン受け部においてドレン水が凍らないように、ドレン受け部に電熱器などの加熱部を設けてもよい。この場合、ドレン受け部を加熱する加熱部は、常時ドレン受け部を加熱するように構成されてもよいし、所定の期間だけドレン受け部を加熱するように構成されてもよい。たとえば、ドレン受け部を加熱する加熱部は、第２エアカーテン装置の除霜時および除霜後の水切り時の間だけ、ドレン受け部を加熱するように構成されてもよい。
【００８９】
また、上記第１および第２実施形態では、ドレン配管が、ドレン水が凍らないように、高温側の第１領域を介して、ドレン水を冷蔵倉庫の外部に導くように設けられている例を示したが、本発明はこれに限られない。本発明では、ドレン配管が、高温側の第１領域を介して、ドレン水を冷蔵倉庫の外部に導くように設けられなくてもよい。また、ドレン水が凍らないように、ドレン配管に断熱材を巻いてもよいし、ドレン配管にヒートパイプを巻いて外気との間で熱交換することによって、ヒートパイプによりドレン配管を加熱してもよいし、ドレン配管に電熱器などの加熱部を設けて、この加熱部によりドレン配管を加熱してもよい。
【００９０】
また、上記第１実施形態では、仕切り部に、第１風路および第２風路の２つの風路と、第１開閉部および第２開閉部の２つの風路とを設けた例を示したが、本発明はこれに限られない。本発明では、仕切り部に、１つの風路および開閉部が設けられてもよいし、３つ以上の風路および開閉部が設けられてもよい。
【符号の説明】
【００９１】
１０  冷蔵室
１１  第１領域
１２  第２領域
１３、１１３  仕切り部
２０  第１エアカーテン装置
４０  第２エアカーテン装置
６０、１６０  除霜手段
７０、７０ｂ、１７０、１７０ｂ  制御部
８１  第１風路（風路）
８２  第１開閉部（開閉部）
８３  第２風路（風路）
８４  第２開閉部（開閉部）
８５  送風機
１００、１００ａ、１００ｂ、２００、２００ａ、２００ｂ  冷蔵倉庫
１９０  加熱部
１９１  導風部
Ｔ１  第１温度
Ｔ２  第２温度
【図１】
2018004195.tif 000003
【図２】
2018004195.tif 000004
【図３】
2018004195.tif 000005
【図４】
2018004195.tif 000006
【図５】
2018004195.tif 000007
【図６】
2018004195.tif 000008
【図７】
2018004195.tif 000009
【図８】
2018004195.tif 000010
【図９】
2018004195.tif 000011
【図１０】
2018004195.tif 000012